(57)【要約】【課題】折板屋根材が大きく熱伸びした場合でも、タイトフレームから外れにくい係止部材、及びこの係止部材を備えた折板屋根材の取付構造を提供する。【解決手段】係止部材３は、山部の側部に被係止部４２が設けられた折板屋根材４を、タイトフレーム２に取り付けるためのものである。係止部材３は、タイトフレーム２の脚部２１にねじ固定される上固定片３０ａ及び下固定片３０ｂと、上固定片３０ａ及び下固定片３０ｂから表側に突出し、被係止部４２に係合される係止部３１と、を備える。上固定片３０ａと下固定片３０ｂのそれぞれには、脚部２１をその幅方向の両側から挟み込むように突出した一対の突片３２が設けられている。【選択図】図１
2018048458.tif 000002
【特許請求の範囲】
【請求項１】
山部の側部に被係止部が設けられた折板屋根材を、タイトフレームに取り付けるための係止部材であって、
前記タイトフレームの脚部にねじ固定される上固定片及び下固定片と、
前記上固定片及び前記下固定片から表側に突出し、前記被係止部に係合される係止部と、を備え、
前記上固定片と前記下固定片のそれぞれには、前記脚部をその幅方向の両側から挟み込むように突出した一対の突片が設けられていることを特徴とする係止部材。
【請求項２】
山部の側部に被係止部が設けられた折板屋根材と、
屋根下地に固定されたタイトフレームと、
上固定片と、下固定片と、前記上固定片及び前記下固定片から表側に突出する係止部とを有し、前記上固定片と前記下固定片のそれぞれに裏側に突出する一対の突片が設けられた係止部材と、を備え、
前記タイトフレームの脚部に、前記上固定片と前記下固定片のそれぞれがねじ固定され、
前記係止部に前記被係止部が係合された状態で、前記折板屋根材が前記タイトフレームに取り付けられ、
前記上固定片の前記一対の突片と前記下固定片の前記一対の突片がそれぞれ、前記脚部をその幅方向の両側から挟むように位置することを特徴とする折板屋根材の取付構造。
【請求項３】
前記タイトフレームの前記脚部は、凹条部を有し、
前記上固定片と前記下固定片のそれぞれには、前記凹条部に嵌まるように裏側に突出する凸条部が設けられていることを特徴とする請求項２に記載の折板屋根材の取付構造。
【請求項４】
前記係止部材の前記係止部は、前記タイトフレームの前記脚部よりも幅広であることを特徴とする請求項２または３に記載の折板屋根材の取付構造。
【発明の詳細な説明】
【技術分野】
【０００１】
本発明は、係止部材、及び折板屋根材の取付構造に関する。
【背景技術】
【０００２】
特許文献１には、タイトフレームにねじ固定した係止部材に、折板屋根材を係止させて、折板屋根材をタイトフレームに取り付けた取付構造が記載されている。
【先行技術文献】
【特許文献】
【０００３】
【特許文献１】特開２０１２−１７６１９号公報
【発明の概要】
【発明が解決しようとする課題】
【０００４】
上記の取付構造では、折板屋根材が大きく熱伸びした場合に、折板屋根材によって係止部材が引っ張られることで、係止部材をタイトフレームに固定するねじが破断し、タイトフレームから係止部材が外れるおそれがある。
【０００５】
上記事情に鑑みて、本発明は、折板屋根材が大きく熱伸びした場合でも、タイトフレームから外れにくい係止部材、及びこの係止部材を備えた折板屋根材の取付構造を提供することを課題とする。
【課題を解決するための手段】
【０００６】
本発明に係る一態様の係止部材は、山部の側部に被係止部が設けられた折板屋根材を、タイトフレームに取り付けるための係止部材である。一態様の係止部材は、前記タイトフレームの脚部にねじ固定される上固定片及び下固定片と、前記上固定片及び前記下固定片から表側に突出し、前記被係止部に係合される係止部と、を備える。
【０００７】
前記上固定片と前記下固定片のそれぞれには、前記脚部をその幅方向の両側から挟み込むように突出した一対の突片が設けられている。
【０００８】
また、本発明に係る一態様の折板屋根材の取付構造は、山部の側部に被係止部が設けられた折板屋根材と、屋根下地に固定されたタイトフレームと、係止部材とを備える。
【０００９】
前記係止部材は、上固定片と、下固定片と、前記上固定片及び前記下固定片から表側に突出する係止部とを有し、前記上固定片と前記下固定片のそれぞれに裏側に突出する一対の突片が設けられている。
【００１０】
一態様の折板屋根材の取付構造では、前記タイトフレームの脚部に、前記上固定片と前記下固定片のそれぞれがねじ固定され、前記係止部に前記被係止部が係合された状態で、前記折板屋根材が前記タイトフレームに取り付けられ、前記上固定片の前記一対の突片と前記下固定片の前記一対の突片がそれぞれ、前記脚部をその幅方向の両側から挟むように位置する。
【発明の効果】
【００１１】
本発明は、折板屋根材が大きく熱伸びした場合でも、タイトフレームから外れにくい係止部材、及びこの係止部材を備えた折板屋根材の取付構造を提供することができる。
【図面の簡単な説明】
【００１２】
【図１】図１は、本発明に係る実施形態１の折板屋根材の取付構造を示す正面断面図である。
【図２】図２Ａ，Ｂは、同上の取付構造が備えるタイトフレームを示す図であり、図２Ａは正面図であり、図２Ｂは平面図である。
【図３】図３Ａ〜Ｄは、同上の取付構造が備える係止部材を示す図であり、図３Ａは斜視図であり、図３Ｂは平面図であり、図３Ｃは正面図であり、図３Ｄは側面図である。
【図４】図４は、図１のＡ−Ａ線における断面図であり、折板屋根材の図示を省略した図である。
【発明を実施するための形態】
【００１３】
（実施形態１）
図１には、本発明に係る実施形態１の折板屋根材の取付構造が示されている。本実施形態の取付構造は、梁、母屋、野地板等の屋根下地１に固定されるタイトフレーム２と、タイトフレーム２に取り付けられる複数の係止部材３と、係止部材３に係止されて、タイトフレーム２に取り付けられる複数の折板屋根材４を備える。さらに、取付構造は、タイトフレーム２に取り付けられる複数の吊り子５をさらに備える。各折板屋根材４は、吊り子５に対してハゼ締めされることによって、タイトフレーム２に取り付けられる。
【００１４】
各折板屋根材４は、所定の勾配を有するように屋根下地１上に設置される。以下では、各折板屋根材４の水上側を棟側とし、各折板屋根材の水下側を軒側とし、軒棟方向に対して直交する水平方向を左右方向とし、軒棟方向及び左右方向に対して直交する方向を上下方向として、各構成について説明する。なお、上下方向は、鉛直方向に対して勾配に対応する角度だけ傾いた方向である。各図において、矢印Ｘで示す方向が軒側であり、矢印Ｙで示す方向が右側であり、矢印Ｚで示す方向が上側である。
【００１５】
（折板屋根材）
折板屋根材４は、軒棟方向を長手方向とする屋根材である。折板屋根材４は、軒棟方向に亘って一定の断面形状を有する。折板屋根材４は、薄厚の金属板を折り曲げ加工等することによって形成される。金属板としては、亜鉛めっき鋼板、塗装鋼板、ガルバリウム鋼板（登録商標）などが用いられる。金属板の厚みとしては、例えば、０．５〜１．２ｍｍであるが、これに限定されない。
【００１６】
折板屋根材４は、本実施形態では、凹凸のある板状の谷部４０と、谷部４０の両側端部に設けた一対の山部半体４１を有する。折板屋根材４の山部の側部（つまり一対の山部半体４１のそれぞれ）には、係止部材３に係合される被係止部４２が設けられている。
【００１７】
一対の山部半体４１のそれぞれは、下側から順に、下片部４３、下被係止片部４４、上被係止片部４５、上片部４６、頂部４７、及びハゼ部４８を有する。下片部４３は、谷部４０の側端部から上側程左右方向外側に位置するように突出している。下被係止片部４４は、下片部４３の上端部から上側程左右方向内側に位置するように突出している。上被係止片部４５は、下被係止片部４４の上端部から上側程左右方向外側に位置するように突出している。上片部４６は、上被係止片部４５の上端部から上側程左右方向外側に位置するように突出している。頂部４７は、上片部４６の上端部から上側程左右方向外側に位置するように突出している。ハゼ部４８は、頂部４７の上端部から上方に突出している。
【００１８】
下片部４３と下被係止片部４４の境界部分の表面と、下被係止片部４４と上被係止片部４５の境界部分の表面はそれぞれ、表面が滑らかな円弧状の凸曲面であるアール面に形成されている。下片部４３と下被係止片部４４がなす角度と、下被係止片部４４と上被係止片部４５がなす角度はそれぞれ、鋭角である。上被係止片部４５と上片部４６は、１８０度に近い角度の鈍角をなすように連続している。上片部４６の水平方向に対する傾斜角度は、上被係止片部４５の水平方向に対する傾斜角度よりも大きい。頂部４７は、水平方向に対して若干傾いている。
【００１９】
下被係止片部４４と上被係止片部４５とで、係止部材３に係合する被係止部４２が構成されている。
【００２０】
（タイトフレーム）
図２Ａ，Ｂには、タイトフレーム２の一例を示している。タイトフレーム２は、鋼などの金属製であり、厚さが２〜５ｍｍ程度の帯材を折り曲げ加工等することによって形成される。
【００２１】
タイトフレーム２は、複数の支持山部と、複数の板状のフレーム谷部２０とが交互に繰り返すように形成されるものである。支持山部は、頂部２２と、頂部２２の両側端部から外側方の斜め下方に向けて突出する一対の脚部２１とで構成されている。一対の脚部２１のそれぞれの下端部が、フレーム谷部２０の両側端部に連続している。なお、タイトフレーム２は、１つの支持山部と、その両側に位置する２つのフレーム谷部２０とで構成されるユニットを、複数並べたものであってもよい。
【００２２】
図２Ｂに示すように、各脚部２１の表面（つまり上面）には、凹条部２３が設けられている。凹条部２３は、各脚部２１の幅方向（つまり軒棟方向）の中央部に位置し、かつ、各脚部２１の長手方向に亘るように設けられている。凹条部２３は、金属製の帯材の各脚部２１に対応する箇所をプレス加工することによって形成されている。凹条部２３は、底壁２３０、軒側の側壁２３１、及び棟側の側壁２３２を含む。底壁２３０には、係止部材３を脚部２１に取り付けるためのねじ等の固着具が固定される一対の固定孔２４が設けられている。一対の固定孔２４は、底壁２３０を貫通している。
【００２３】
各脚部２１は、凹条部２３と、その軒棟方向の両側に位置する一対の支持片部２５を有する。一対の支持片部２５の上面と、凹条部２３の底面（底壁２３０の上面）は、互いに略平行である。
【００２４】
各頂部２２も同様に、凹条部２６と、一対の支持片部２７を有する。脚部２１の凹条部２３と、隣接する頂部２２の凹条部２６とは連続しており、脚部２１の一対の支持片部２５と、隣接する頂部２２の一対の支持片部２７とは連続している。各頂部２２の長手方向に直交する断面形状と、各脚部２１の長手方向に直交する断面形状とは、互いに略同じである。
【００２５】
各頂部２２は、その右半部が左半部よりも一段低くなるように、段状に設けられている。各頂部２２の右半部の凹条部２６の底壁に、吊り子５を取り付けるためのボルト等の固定具２８が取り付けられている。図１に示すように、吊り子５は、その一部に固定具２８が挿通された状態で、固定具２８に取り付けたナット等の締結具２９が締められることで、各頂部２２の右半部上に取り付けられる。
【００２６】
図２Ｂに示すように、各フレーム谷部２０の幅方向の中央部には、上方に突出した凸条の補強部２００が設けられている。補強部２００は、各フレーム谷部２０の長手方向に亘って設けられている。補強部２００には、フレーム谷部２０を屋根下地１に対して固定するためのねじ等の固定具が挿通される挿通孔２０１が設けられている。
【００２７】
（係止部材）
図１に示すように、係止部材３は、上固定片３０ａと、下固定片３０ｂと、固定片３０ａ，３０ｂから表側に突出する係止部３１とを有する。固定片３０ａ，３０ｂのそれぞれには、裏側に突出する一対の突片３２が設けられている。さらに、固定片３０ａ，３０ｂのそれぞれには、タイトフレーム２の脚部２１の凹条部２３に嵌まるように、裏側に突出する凸条部３３が設けられている（図４参照）。係止部材３は、鋼や亜鉛めっき鉄板などの金属製であり、厚さが２ｍｍ程度の帯材を折り曲げ加工等することによって形成される。
【００２８】
図３Ａ〜Ｄには、係止部材３が示されている。以下では、固定片３０ａ，３０ｂが水平方向に対して平行となるように配置した状態を基準として、係止部材３について詳しく説明する。各図における矢印Ｄ１で示す方向が右方であり、矢印Ｄ２で示す方向が前方であり、矢印Ｄ３で示す方向が上方である。
【００２９】
上固定片３０ａと下固定片３０ｂは、左右方向に離れて位置する。上固定片３０ａは、平面視略長方形であり、前後の端部のそれぞれから、突片３２が下方に突出している。上固定片３０ａの前後方向の中央部に、下方に突出する凸条部３３が設けられている。以下、上固定片３０ａの凸条部３３を、凸条部３３ａと記載する。凸条部３３ａは、上固定片３０ａに左右方向の略全長に亘るように設けられている。凸条部３３ａは、上固定片３０ａをプレス加工等することによって形成される。凸条部３３ａは、上方から視て、上方及び左方に開口した溝状である。
【００３０】
凸条部３３ａは、左右方向の長さが前後方向の長さ（幅）よりも長い。凸条部３３ａは、先端面（下面）を構成する先端壁３３０と、凸条部３３ａの前側の側壁３３１と、凸条部３３ａの後側の側壁３３２と、凸条部３３ａの右側の側壁３３３を有する。壁３３１，３３２，３３３は、平面視略Ｕ字状に連続している。先端壁３３０には、上固定片３０ａを脚部２１に取り付けるためのねじ等の固着具が挿通される挿通孔３４が設けられている。
【００３１】
上固定片３０ａは、その上面から突出した一対の補強用のリブ３５をさらに有している。凸条部３３ａと前側の突片３２の間と、凸条部３３ａと後側の突片３２の間にそれぞれ、１つずつリブ３５が位置している。一対のリブ３５は、上固定片３０ａの左右方向の中央部から右端にかけて設けられており、互いに平行である。一対のリブ３５は、上固定片３０ａをプレス加工することによって形成される。一対のリブ３５の下面側は、下方に開口した溝状である。
【００３２】
下固定片３０ｂは、平面視略長方形状の第一部分３００ｂと、その左側に位置する平面視等脚台形状の第二部分３０１ｂとで構成される。第二部分３０１ｂは、左側ほど前後幅が長く、右端の前後幅が、第一部分３００ｂの前後幅よりも若干短い。
【００３３】
第一部分３００ｂの前後の端部のそれぞれから、突片３２が下方に突出している。第一部分３００ｂの前後方向の中央部と、第二部分３０１ｂの右端部の前後方向の中央部に、下方に突出する凸条部３３が設けられている。以下、下固定片３０ｂの凸条部３３を、凸条部３３ｂと記載する。
【００３４】
凸条部３３ｂは、第一部分３００ｂに左右方向に亘り、かつ第二部分３０１ｂの右端部まで亘るように設けられている。凸条部３３ｂは、下固定片３０ｂをプレス加工等することによって形成される。凸条部３３ｂは、上方から視て、上方及び右方に開口した溝状である。
【００３５】
凸条部３３ｂは、左右方向の長さが前後方向の長さ（幅）よりも長い。凸条部３３ｂは、先端面（下面）を構成する先端壁３３０と、凸条部３３ｂの前側の側壁３３１と、凸条部３３ｂの後側の側壁３３２と、凸条部３３ｂの左側の側壁３３４を有する。壁３３１，３３２，３３４は、平面視略Ｕ字状に連続している。先端壁３３０には、下固定片３０ｂを脚部２１に取り付けるためのねじ等の固着具が挿通される挿通孔３４が設けられている。
【００３６】
第二部分３０１ｂの右端の前後方向の中央部が、第一部分３００ｂと連続している。第二部分３０１ｂのうち、第一部分３００ｂよりも後方に位置する部分の前後長さは、後側の突片３２の上下長さと略同じである。また、第二部分３０１ｂのうち、第一部分３００ｂよりも前方に位置する部分の前後長さは、前側の突片３２の上下長さと略同じである。
【００３７】
係止部３１は、正面視にて下方に開口した略Ｖ字状である。係止部３１は、上固定片３０ａの右端部から右斜め上方に突出した上係止片部３１０と、下固定片３０ｂの左端部と連続し、右斜め上方に突出した下係止片部３１１とで構成される。上係止片部３１０の突出方向の長さは、下係止片部３１１の突出方向の長さよりも長い。
【００３８】
上係止片部３１０は、略矩形板状であり、左側の２つの角部が面取りされた形状である。つまり、上係止片部３１０は、その左端部の前後方向の長さが右側ほど長く、左端部を除いた残りの部分の前後方向の長さが一定である。上係止片部３１０は、正面視における形状が、一直線状ではなく、複数回湾曲した略弧状である。
【００３９】
上係止片部３１０は、その上面から突出した一対の補強用のリブ３６を有している。一対のリブ３６は、上係止片部３１０の上面に左右方向に亘って設けられており、互いに平行である。一対のリブ３６は、上係止片部３１０をプレス加工することによって形成される。一対のリブ３６の下面側は、下方に開口した溝状である。一対のリブ３６は、上固定片３０ａの一対のリブ３５と連続している。
【００４０】
下係止片部３１１は、略矩形板状である。下係止片部３１１の前後方向の長さは、下固定片３０ｂの左端の前後方向の長さと、同じである。
【００４１】
上係止片部３１０の上端部と下係止片部３１１の上端部とは連続しており、その境界部分の表面は、表面が滑らかな円弧状の凸曲面であるアール面に形成されている。上係止片部３１０の上端部と下係止片部３１１の上端部とは、折板屋根材４の被係止部４２が係合される形状で連続している。下係止片部３１１と下固定片３０ｂとは連続しており、その境界部分は、表面が滑らかな円弧状の凸曲面であるアール面に形成されている。下係止片部３１１と下固定片３０ｂとがなす角度は、鋭角であり、およそ７０〜８０度である。上係止片部３１０と上固定片３０ａとは連続しており、上係止片部３１０と上固定片３０ａとがなす角度は、鈍角であり、およそ１２５〜１３５度である。
【００４２】
図１に示すように、係止部材３は、上固定片３０ａが下固定片３０ｂよりも上方に位置する姿勢で、タイトフレーム２の脚部２１の表面（上面）に取り付けられる。係止部材３は、脚部２１の上側の固定孔２４に上固定片３０ａの挿通孔３４を合わせ、脚部２１の下側の固定孔２４に下固定片３０ｂの挿通孔３４を合わせた状態で、各孔にねじ等の固着具６をねじ込むことで、脚部２１に取り付けられる。
【００４３】
係止部材３を脚部２１に取り付けた状態では、図４に示すように、固定片３０ａ，３０ｂが脚部２１の一対の支持片部２５に載り、固定片３０ａ，３０ｂの凸条部３３ａ，３３ｂが脚部２１の凹条部２３に嵌まり込み、固定片３０ａ，３０ｂのそれぞれから突出する一対の突片３２が、脚部２１をその幅方向の両側から挟み込むように位置する。
【００４４】
（吊り子）
吊り子５は、図１に示すように、タイトフレーム２の頂部２２に固定される固着片５０と、固着片５０の一側端（本実施形態では左端）から上方に突出した立ち上げ片５１と、立ち上げ片５１の上端から固着片５０と反対側に突出した巻き込み片５２を有する。固着片５０には、固定具２８が挿通される挿通孔が設けられている。
【００４５】
吊り子５は、鋼などの金属製であり、厚さが１〜５ｍｍ程度の鋼板または帯材を折り曲げ加工等することによって形成される。
【００４６】
（施工方法）
続いて、折板屋根材４の取付構造の施工方法の一例について説明する。
【００４７】
まず、屋根下地１にタイトフレーム２を固定する。このとき、タイトフレーム２の複数のフレーム谷部２０のそれぞれを、屋根下地１に対して固定する。屋根下地１上には、複数のタイトフレーム２が、左右方向に連続するように並び、かつ、軒棟方向に距離をおいて並ぶように配される。屋根下地１上に設置されるタイトフレーム２の数は、適宜設定可能である。
【００４８】
次いで、タイトフレーム２の複数の脚部２１のそれぞれに、係止部材３を固着具６でねじ固定する。このとき、係止部材３の上固定片３０ａが下固定片３０ｂよりも上方に位置する姿勢で、固定片３０ａ，３０ｂのそれぞれが、脚部２１にねじ固定される。
【００４９】
係止部材３を脚部２１にねじ固定した状態では、図４に示すように、固定片３０ａ，３０ｂのそれぞれに設けられた一対の突片３２が、脚部２１をその幅方向の両側から挟み込むように位置する。なお、このとき、一対の突片３２と脚部２１とは、接してもよいし、僅かな隙間を介して位置してもよい。また、係止部材３を脚部２１にねじ固定した状態では、固定片３０ａ，３０ｂの凸条部３３が、その長手方向に亘って、脚部２１の凹条部２３に嵌まり込む。
【００５０】
次いで、タイトフレーム２の頂部２２に、吊り子５を固定する。このとき、吊り子５の固着片５０を、頂部２２から突出した固定具２８に挿通した状態で、固定具２８に締結具２９を締めることによって、吊り子５は、頂部２２上に固定される。なお、タイトフレーム２への吊り子５の取り付けは、タイトフレーム２に係止部材３を取り付ける前に行ってもよい。
【００５１】
次いで、タイトフレーム２の対向する一対の脚部２１に取り付けられた一対の係止部材３間に、折板屋根材４の谷部４０を上方から差し込んで、折板屋根材４の一対の被係止部４２を、一対の係止部材３にそれぞれ係合させる（引っ掛ける）。これにより、折板屋根材４は、タイトフレーム２に対して仮止めされる。
【００５２】
次いで、折板屋根材４の一対のハゼ部４８のそれぞれを、吊り子５の巻き込み片５２に合わせる。
【００５３】
同様の手順で、タイトフレーム２のうち、仮止めされた折板屋根材４の隣に、他の折板屋根材４を仮止めする。
【００５４】
次いで、２つの折板屋根材４の隣接する２つのハゼ部４８を、吊り子５の巻き込み片５２に巻き込んでハゼ締めし、これにより、折板屋根材４の左右の端部をタイトフレーム２に対して本止めする。
【００５５】
同様の手順で、複数の折板屋根材４のそれぞれを、屋根下地１上の複数のタイトフレーム２に対して取り付け、屋根下地１上に折板屋根を形成する。
【００５６】
本実施形態の折板屋根材４の取付構造では、図４に示すように、各係止部材３の一対の突片３２が、タイトフレーム２の脚部２１をその幅方向の両側から挟み込むように位置し、かつ、各係止部材３の凸条部３３が、脚部２１の凹条部２３に嵌まり込んで位置する。
【００５７】
これにより、本実施形態の取付構造では、各係止部材３は、軒棟方向の位置ずれが規制される状態で、タイトフレーム２に対して取り付けられる。したがって、本実施形態の取付構造では、折板屋根材４が熱伸びにより長手方向（軒棟方向に）移動した場合に、折板屋根材４に引っ掛かった状態の係止部材３が、折板屋根材４に引っ張られて軒棟方向に位置ずれすることを防ぐことができる。これにより、係止部材３をタイトフレーム２に対して固定する固着具６が破断されることを防止でき、折板屋根材４の係止部材３による取り付けを安定して行うことができる。
【００５８】
また、本実施形態の取付構造では、係止部材３の固定片３０ａ，３０ｂのそれぞれに設けた一対の突片３２によって、固定片３０ａ，３０ｂの軒棟方向の位置ずれが規制される。これにより、本実施形態の取付構造では、係止部材３が、タイトフレーム２の脚部２１の表面上で回転することも抑制できる。
【００５９】
また、本実施形態の取付構造では、係止部材３の係止部３１を、タイトフレーム２よりも軒棟方向に幅広に設けることで、折板屋根材４に対する取り付け強度を向上させることができ、折板屋根材４が係止部材３から外れることを効果的に抑えることができる。
【００６０】
また、本実施形態の取付構造では、係止部材３の上係止片部３１０と上固定片３０ａに一対のリブ３５，３６を設けて、上係止片部３１０及び上固定片３０ａの補強を図ったことで、下係止片部３１１の上方への位置ずれを防ぐことができる。これにより、本実施形態の取付構造では、係止部３１の変形を抑制でき、係止部材３から折板屋根材４の被係止部４２が外れることを効果的に抑えることができる。
【００６１】
（変更例）
続いて、本実施形態の折板屋根材の取付構造の変更例について説明する。
【００６２】
係止部材３は、凸条部３３を有さず、固定片３０ａ，３０ｂが平板状に設けられたものであってもよい。この場合でも、一対の突片３２によって、係止部材３のタイトフレーム２に対する軒棟方向の位置ずれを規制することができる。
【００６３】
係止部材３は、係止部３１の軒棟方向の長さが、タイトフレーム２の脚部２１の幅（固定片３０ａ，３０ｂの軒棟方向の長さ）と同じであってもよい。
【００６４】
折板屋根材４は、上記の形状のものに限定されない。例えば、谷部４０は、フラットな板状であってもよい。
【００６５】
（効果）
以上説明した実施形態１の係止部材３のように、本発明に係る第一の態様の係止部材は、以下の第一の構成を備えることを特徴とする。
【００６６】
すなわち、第一の態様の係止部材は、山部の側部に被係止部４２が設けられた折板屋根材４を、タイトフレーム２に取り付けるための係止部材である。第一の態様の係止部材は、タイトフレーム２の脚部２１にねじ固定される上固定片３０ａ及び下固定片３０ｂと、上固定片３０ａ及び下固定片３０ｂから表側に突出し、被係止部４２に係合される係止部３１と、を備える。
【００６７】
上固定片３０ａと下固定片３０ｂのそれぞれには、脚部２１をその幅方向の両側から挟み込むように突出した一対の突片３２が設けられている。
【００６８】
上記の第一の構成を備えることで、第一の態様の係止部材では、タイトフレーム２の脚部２１に固定片３０ａ，３０ｂをねじ固定し、係止部３１に折板屋根材４の被係止部４２を係合させた状態において、折板屋根材４が熱伸びした場合に、折板屋根材４によって係止部材３が脚部２１の幅方向に引っ張られて係止部材３が位置ずれすることを、一対の突片３２によって抑えることができる。そのため、第一の態様の係止部材では、折板屋根材４が大きく熱伸びした場合でも、一対の突片３２が係止部材３の位置ずれを抑えることで、係止部材３をタイトフレーム２に固定する固着具６が破断されることを防ぐことができ、タイトフレーム２から係止部材３が外れにくい。
【００６９】
また、上述した実施形態１の折板屋根材の取付構造のように、本発明に係る第二の態様の折板屋根材の取付構造は、以下の第二の構成を備えることを特徴とする。
【００７０】
すなわち、第二の態様の折板屋根材の取付構造は、山部の側部に被係止部４２が設けられた折板屋根材４と、屋根下地１に固定されたタイトフレーム２と、係止部材３とを備える。
【００７１】
係止部材３は、上固定片３０ａと、下固定片３０ｂと、上固定片３０ａ及び下固定片３０ｂから表側に突出する係止部３１とを有する。上固定片３０ａと下固定片３０ｂのそれぞれに裏側に突出する一対の突片３２が設けられている。
【００７２】
第二の態様の折板屋根材の取付構造では、タイトフレーム２の脚部２１に、上固定片３０ａと下固定片３０ｂのそれぞれがねじ固定され、係止部３１に被係止部４２が係合された状態で、折板屋根材４がタイトフレーム２に取り付けられる。上固定片３０ａの一対の突片３２と下固定片３０ｂの一対の突片３２がそれぞれ、脚部２１をその幅方向の両側から挟むように位置する。
【００７３】
上記の第二の構成を備えることで、第二の態様の折板屋根材の取付構造では、熱伸びするときの折板屋根材４によって係止部材３が脚部２１の幅方向に引っ張られたときに、一対の突片３２によって係止部材３の位置ずれを抑えることができる。そのため、第二の態様の折板屋根材の取付構造では、折板屋根材４が大きく熱伸びした場合でも、一対の突片３２が係止部材３の位置ずれを抑えることで、係止部材３をタイトフレーム２に固定する固着具６が破断されることを防ぐことができ、タイトフレーム２から係止部材３が外れにくい。
【００７４】
さらに、実施形態１の折板屋根材の取付構造のように、本発明に係る第三の態様の折板屋根材の取付構造は、上記の第二の構成に加えて、下記の第三の構成を備える。
【００７５】
すなわち、第三の態様の折板屋根材の取付構造では、タイトフレーム２の脚部２１は、凹条部２３を有する。上固定片３０ａと下固定片３０ｂのそれぞれには、凹条部２３に嵌まるように裏側に突出する凸条部３３が設けられている。
【００７６】
上記の第三の構成を備えることで、第三の態様の折板屋根材の取付構造では、係止部材３の凸条部３３が脚部２１の凹条部２３に嵌まることによっても、係止部材３の位置ずれを抑えることができる。ここで、タイトフレーム２の凹条部２３に対して、係止部材３の凸条部３３が自身の長手方向に沿って長く嵌まるため、係止部材３の脚部２１の幅方向への位置ずれが効果的に抑えられる。したがって、第三の態様の折板屋根材の取付構造では、一対の突片３２に加えて凸条部３３によっても係止部材３の位置ずれを抑えることができ、タイトフレーム２から係止部材３がさらに外れにくい。
【００７７】
さらに、実施形態１の折板屋根材の取付構造のように、本発明に係る第四の態様の折板屋根材の取付構造は、上記の第二の態様または第三の態様の折板屋根材の取付構造において、下記の第四の構成を備える。
【００７８】
すなわち、第四の態様の折板屋根材の取付構造では、係止部３１は、脚部２１よりも幅広である。
【００７９】
上記の第四の構成を備えることで、第四の態様の折板屋根材の取付構造では、折板屋根材４の被係止部４２に対して係止部３１が引っ掛かる長さを長くでき、係止部材３から折板屋根材４が外れにくい。
【００８０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８１】
１      屋根下地
２      タイトフレーム
２１    脚部
２３    凹条部
３      係止部材
３０ａ  上固定片
３０ｂ  下固定片
３１    係止部
３２    突片
３３    凸条部
４      折板屋根材
４２    被係止部
【図１】
2018048458.tif 000003
【図２】
2018048458.tif 000004
【図３】
2018048458.tif 000005
【図４】
2018048458.tif 000006
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
山部の側部に被係止部が設けられた折板屋根材を、タイトフレームに取り付けるための係止部材であって、
前記タイトフレームの脚部にねじ固定される上固定片及び下固定片と、
前記上固定片及び前記下固定片から表側に突出し、前記被係止部に係合される係止部と、を備え、
前記上固定片と前記下固定片のそれぞれには、前記脚部をその幅方向の両側から挟み込むように突出した一対の突片が設けられ、
前記上固定片と前記下固定片のそれぞれには、裏側に突出した凸条部が一方向に長く設けられていることを特徴とする係止部材。
【請求項２】
山部の側部に被係止部が設けられた折板屋根材と、
一方向に長い脚部を有し、屋根下地に固定されたタイトフレームと、
上固定片と、下固定片と、前記上固定片及び前記下固定片から表側に突出する係止部とを有し、前記上固定片と前記下固定片のそれぞれに裏側に突出する一対の突片が設けられた係止部材と、を備え、
前記脚部は、前記一方向に長く設けられた凹条部を有し、前記上固定片と前記下固定片のそれぞれには、前記凹条部に嵌まるように裏側に突出する凸条部が前記一方向に長く設けられ、
前記タイトフレームの脚部に、前記上固定片と前記下固定片のそれぞれがねじ固定され、
前記係止部に前記被係止部が係合された状態で、前記折板屋根材が前記タイトフレームに取り付けられ、
前記上固定片の前記一対の突片と前記下固定片の前記一対の突片がそれぞれ、前記脚部をその幅方向の両側から挟むように位置することを特徴とする折板屋根材の取付構造。
【請求項３】
前記係止部材の前記係止部は、前記タイトフレームの前記脚部よりも幅広であることを特徴とする請求項２に記載の折板屋根材の取付構造。
【手続補正２】
【補正対象書類名】明細書
【補正対象項目名】０００７
【補正方法】変更
【補正の内容】
【０００７】
前記上固定片と前記下固定片のそれぞれには、前記脚部をその幅方向の両側から挟み込むように突出した一対の突片が設けられ、前記上固定片と前記下固定片のそれぞれには、裏側に突出した凸条部が一方向に長く設けられている。
【手続補正３】
【補正対象書類名】明細書
【補正対象項目名】０００８
【補正方法】変更
【補正の内容】
【０００８】
また、本発明に係る一態様の折板屋根材の取付構造は、山部の側部に被係止部が設けられた折板屋根材と、一方向に長い脚部を有し、屋根下地に固定されたタイトフレームと、係止部材とを備える。
【手続補正４】
【補正対象書類名】明細書
【補正対象項目名】０００９
【補正方法】変更
【補正の内容】
【０００９】
前記係止部材は、上固定片と、下固定片と、前記上固定片及び前記下固定片から表側に突出する係止部とを有し、前記上固定片と前記下固定片のそれぞれに裏側に突出する一対の突片が設けられている。
前記脚部は、前記一方向に長く設けられた凹条部を有し、前記上固定片と前記下固定片のそれぞれには、前記凹条部に嵌まるように裏側に突出する凸条部が前記一方向に長く設けられている。
【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
山部の側部に被係止部が設けられた折板屋根材を、タイトフレームに取り付けるための係止部材であって、
前記タイトフレームの脚部にねじ固定される上固定片及び下固定片と、
前記上固定片及び前記下固定片から表側に突出し、前記被係止部に係合される係止部と、を備え、
前記係止部は、前記上固定片から表側に突出した上係止片部と、前記下固定片から表側に突出し、前記上係止片部と表側の端部同士が連続した下係止片部とを含み、前記上係止片部及び前記下係止片部は、前記上固定片及び前記下固定片よりも幅広であり、
前記上固定片と前記下固定片のそれぞれには、前記脚部をその幅方向の両側から挟み込むように突出した一対の突片が設けられ、
前記上固定片と前記下固定片のそれぞれには、裏側に突出した凸条部が、前記係止部とは反対側の端まで至るように一方向に長く設けられていることを特徴とする係止部材。
【請求項２】
山部の側部に被係止部が設けられた折板屋根材と、
一方向に長い脚部を有し、屋根下地に固定されたタイトフレームと、
上固定片と、下固定片と、前記上固定片及び前記下固定片から表側に突出する係止部とを有し、前記上固定片と前記下固定片のそれぞれに裏側に突出する一対の突片が設けられた係止部材と、を備え、
前記係止部は、前記上固定片から表側に突出した上係止片部と、前記下固定片から表側に突出し、前記上係止片部と表側の端部同士が連続した下係止片部とを含み、前記上係止片部及び前記下係止片部は、前記上固定片及び前記下固定片よりも幅広であり、
前記脚部は、前記一方向に長く設けられた凹条部を有し、前記上固定片と前記下固定片のそれぞれには、前記凹条部に嵌まるように裏側に突出する凸条部が、前記係止部とは反対側の端まで至るように前記一方向に長く設けられ、
前記タイトフレームの脚部に、前記上固定片と前記下固定片のそれぞれがねじ固定され、
前記係止部に前記被係止部が係合された状態で、前記折板屋根材が前記タイトフレームに取り付けられ、
前記上固定片の前記一対の突片と前記下固定片の前記一対の突片がそれぞれ、前記脚部をその幅方向の両側から挟むように位置することを特徴とする折板屋根材の取付構造。
【請求項３】
前記上係止片部と前記下係止片部のそれぞれは、前記タイトフレームの前記脚部よりも幅広であることを特徴とする請求項２に記載の折板屋根材の取付構造。
【手続補正２】
【補正対象書類名】明細書
【補正対象項目名】０００７
【補正方法】変更
【補正の内容】
【０００７】
前記係止部は、前記上固定片から表側に突出した上係止片部と、前記下固定片から表側に突出し、前記上係止片部と表側の端部同士が連続した下係止片部とを含み、前記上係止片部及び前記下係止片部は、前記上固定片及び前記下固定片よりも幅広である。
前記上固定片と前記下固定片のそれぞれには、前記脚部をその幅方向の両側から挟み込むように突出した一対の突片が設けられ、前記上固定片と前記下固定片のそれぞれには、裏側に突出した凸条部が、前記係止部とは反対側の端まで至るように一方向に長く設けられている。
【手続補正３】
【補正対象書類名】明細書
【補正対象項目名】０００９
【補正方法】変更
【補正の内容】
【０００９】
前記係止部材は、上固定片と、下固定片と、前記上固定片及び前記下固定片から表側に突出する係止部とを有し、前記上固定片と前記下固定片のそれぞれに裏側に突出する一対の突片が設けられている。
前記係止部は、前記上固定片から表側に突出した上係止片部と、前記下固定片から表側に突出し、前記上係止片部と表側の端部同士が連続した下係止片部とを含み、前記上係止片部及び前記下係止片部は、前記上固定片及び前記下固定片よりも幅広である。
前記脚部は、前記一方向に長く設けられた凹条部を有し、前記上固定片と前記下固定片のそれぞれには、前記凹条部に嵌まるように裏側に突出する凸条部が、前記係止部とは反対側の端まで至るように前記一方向に長く設けられている。